(57)【要約】【課題】  従来のハンガーのずり落ち滑り落ちハンガーの折れ癖等の難点とアイロン掛けの回数と手間を省き省エネになり装着取り外しが容易で環境に優しいエコ・ズボン吊りハンガーを提供する。【解決手段】  図（３）でハンガーをズボンに装着する時は片手でバネ１１を縮めズボンの片方の裾の中に保持板１  ２を入れ保持部７  ８をズボンの折り目に合わせバネを縮めていた手を放すとバネの弾性で折り目に保持板が装着される一方の裾にも同じ手順で装着しフック１５をハンガー掛けに吊すズボンを外す時はハンガー掛けに吊したままバネ１１  １１ａを片手で同時に縮めると外れ落ちるのを一方の手で受け止めるだけで取り外しが容易ズボンの裾保持部を鋸歯状にしずり落ち滑り落ちを解決ズボンの折り目に保持部を装着するので折り目が長持ちアイロン掛けの手間が省け電力の省エネになりハンガーの折れ癖もない素材も金属はリサイクル木部は焼却出来環境に優しい等の特徴を持つハンガーである【選択図】図３
2009261862.tif 000002
【特許請求の範囲】
【請求項１】
この発明の目的は、毎日ズボンを気持ち良く穿け手間を掛けずに穿けたらとの思いと、作るなら、環境に優しい素材で作りたいとの思いがここに出来たエコ・ズボン吊りハンガーである。このハンガーは図（１）の保持板１と安定具３が一体と成っており、向きの違う同じ形の保持板２と安定具４を図（２）のように組み合わせ一体化し、バネ１１をバネ支持部９と１０に取り付け一体化する、保持板１と２をバネ１１の弾性で広げズボンの裾を保持するバネ１１を手で縮めると保持板１と２も同時に内側に縮む、保持板１と２が安定して動くように保持板１と一体になっている安定具３が保持板２のガイド６を移動し保持板２と一体になっている安定具４が保持板１のガイド５を移動する、バネ１１の手を放すとバネの弾性で縮む時と反対方向に保持板１と２が同時に外側に広がりこの時ズボンの裾を保持する、保持部の７と８は鋸歯状になっており、ズボンの裾をバネ１１の弾性により確実に保持するので、ズボンの滑り落ち、ずり落ち、落下が無い。図（２）の２枚の保持板１と２バネ１１で成る物と全く同じ物２組を図（３）の結束板１４でバネ１１と１１ａを結束組み合わせフック１５を取り付けた物が図（３）のエコ・ズボン吊りハンガーです。図（３）のハンガー本体の装着は、片方のバネ１１を片手で縮め、ズボンの片方の裾の中に保持板１と２を入れ込み、ズボンの裾の折り目に保持部７と８を合わせ、バネ１１を縮めていた手を放すと保持板１と２がバネの弾性で外側に広がりズボンの裾の折り目に保持部７と８が装着される。もう片方のズボンの裾にも同じように図（３）のバネ１１ａを片手で縮め、ズボンの裾の中に保持板１ａと２ａを入れ込み、ズボンの裾の折り目に保持部７ａと８ａを合わせ、バネ１１ａを縮めていた手を放すと保持板１ａと２ａがバネの弾性で外側に広がりズボンの裾の折り目に装着出来、フック１５をハンガー掛けにかけるその時ズボンのバンド通しが下側になり図（４）のようにズボンを逆さに吊り下げる形になるズボンをはずす時は、ハンガー掛けにかけたまま図４のバネ１１と１１ａを片手で同時に縮めるだけでハンガーからズボンがはずれ落ちるのでもう片方の手で受け止める。ズボンの装着、ズボンのはずし方が容易である。耐久性を保つためと摩耗を防ぐため図２の安定具３と４  ３ａと４ａは金属としバネ１１と１１ａの支持部９と１０  ９ａと１０ａには図（１）の１２と１３のように金属の管スリーブを設けた。図（３）でズボンの折り目に保持部７と８  ７ａと８ａを合わせて装着するためズボンの折り目が復帰し長持ちするのでアイロンかけ等手間が省け、電力等省エネになる。穿いている時に出来た皺等もハンガーに掛けている間にズボンの自重で軽減する。長期間ハンガーに掛けておいてもハンガーの折れ癖が付かない。素材も、金属部はリサイクル出来、木材部は間伐材等でも出来る、処分するときは焼却も出来、環境に優しい、エコ・ズボン吊りハンガーである。
【発明の詳細な説明】
【技術分野】
【０００１】本発明は従来のハンガーのずり落ち、滑り落ち、等の落下とハンガーの折れ癖等の難点を解決し、省手間、省エネと環境に優しい素材で成り一搬家庭で容易に使用出来るハンガーである。
【背景技術】
【０００２】従来はズボンの裾をバネの弾性で保持して吊すハンガーは無かった。従来のハンガーに、ずり落ち防止機能を備えた、物がある。（特許文献１参照）従来のハンガーに、ズボンを掛けている間の無駄な皺を出さない為ズボン掛け部にスポンジを設けている、物がある。（特許文献２参照）【特許文献１】特許公開平１０−９９１８２号  特許庁ホームページ
【特許文献２】特許公開平１１−８９６９８号  特許庁ホームページ
【発明の開示】
【発明が解決しようとする課題】
【０００３】従来のハンガーは、ずり落ち滑り落ち等の落下とハンガーに掛けている間の折れ皺  混み合っている衣類の中からのズボンの取り外し等が面倒でその難点を解決するものである。
【発明を解決するための手段】
【０００４】本発明のハンガーは、図（１）の保持板１と安定具３が一体と成っており、向きの違う同じ形の保持板２と安定具４を図（２）のように組み合わせ一体化した物、と同じ物を２組作りバネ１１をバネ支持部９と１０に取り付け一体化する、図（２）の２枚の保持板１と２バネ１１で成る物と全く同じ物２組を図（３）の結束板１４でバネ１１と１１ａを結束組み合わせフック１５を取り付けた物が図（３）のエコ・ズボン吊りハンガーで従来のハンガーの難点を一挙に解決出来た。
【発明の効果】
【０００５】図（３）の保持部７  ８  ７ａ  ８ａが鋸歯状になっておりズボンの裾に確実に密着保持するので従来のズボンハンガーのようなずり落ち、滑り落ちの落下がなく又保持部をズボンの折り目に合わせて装着するのでズボンの折り目が復帰し長持ちする、そのためアイロンかけの手間が省け電力の省エネにもなる、ハンガー掛けに掛けている間にズボンの自重で穿いているときに付いた皺等も軽減し従来のハンガーのように永い間ハンガーに掛けておいてもハンガーの折れ癖も付かない、混み合った衣類の中からでもズボンの取り外しは簡単でハンガーをハンガー掛けに掛けたままバネ１１  １１ａを片手で縮めるだけでズボンがハンガーからはずれて落ちるので片方の手で受け止めるだけで容易にはずせる。素材は金属と木材である、金属はリサイクル出来、木材は焼却でき、環境に優しい素材である
【発明を実施するための最良の形態】
【０００６】図（１）の保持板１と向きの違う同じ形の保持板２の２枚を重ね合わせ安定具３と４で固定する、固定は図（５）の安定具３の断面図の保持板１の安定具３の安定具軸１６を保持板２のガイド６に差し込むと同時に安定具４の断面図の保持板２の安定具４の軸１６ａが保持板１のガイド５に差し込まれる、安定具３４の安定具軸１６  １６ａがガイドから抜けないように固定するため保持板２の外側及び保持板１の外側より、ガイド５  ６より大きめの抜け止め１７  １７ａで固定し図（２）のようにばね１１を取り付ける、この同じ物を２組作る、それを示したのが図（２）である図２に示した物を図（３）の結束板１４で結束した物がエコ・ズボン吊りハンガーである
【実施例１】
【０００７】図（２）で安定具３  ４  ３ａ  ４ａがバネ１１  １１ａを縮めたときにスムースにガイド５  ６  ５ａ  ６ａを移動するためには安定具の軸とガイドの組あわせのバランスが大事で安定具の軸に対してガイドが狭いと安定具の軸が動かず、広すぎてもガタツキが出て動きが悪いガイド５  ６  ５ａ  ６ａを広くしすぎると保持板１  ２  １ａ  ２ａの強度が弱くなる又図（５）の安定具３の断面図の保持板２と抜け止め１７の間に摩耗を防ぐため摩耗止め１８を設けた
【実施例２】
【０００８】ズボンの裾の保持部７  ８  ７ａ  ８ａを鋸歯状としたためハンガーとズボンの裾との密着度が良く確実かつ長期間装着してハンガー掛けに掛けていてもズボンの落下が無い
【図面の簡単な説明】
【０００９】
【図１】保持板１  ２の分解図
【図２】図１の保持板１  ２を組み合わせ固定しバネ１１を取り付けた一対の図
【図３】エコ・ズボン吊りハンガー本体
【図４】ハンガーをズボンに装着，使用状態の図。
【図５】安定具３  ４の断面図。安定具軸１６  １６ａ及び抜け止め１７  １７ａを示す
【符号の説明】
【００１０】    １    保持板          １ａ    保持板    ２    保持板          ２ａ    保持板    ３    安定具          ３ａ    安定具    ４    安定具          ４ａ    安定具    ５    ガイド          ５ａ    ガイド    ６    ガイド          ６ａ    ガイド    ７    保持部          ７ａ    保持部    ８    保持部          ８ａ    保持部    ９    バネ支持部      ９ａ    バネ支持部    １０  バネ支持部      １０ａ  バネ支持部    １１  バネ            １１ａ  バネ    １２  スリーブ        １３    スリーブ    １４  結束板          １５    フック    １６  安定具軸        １６ａ  安定具軸    １７  抜け止め        １７ａ  抜け止め    １８    摩耗止め      １８ａ  摩耗止め    ２０    ハンガー本体
【図１】
2009261862.tif 000003
【図２】
2009261862.tif 000004
【図３】
2009261862.tif 000005
【図４】
2009261862.tif 000006
【図５】
2009261862.tif 000007